(57)【特許請求の範囲】
【請求項１】
端末からの要求コマンドを解析し、主制御部に対して実行要求を行なうＨＭＩ制御部と、
複数の回線接続指示機能を含む回線種別指示テーブルと、現在サービス中の回線接続情報を記憶する回線接続情報管理部を内蔵し、前記ＨＭＩ制御部からの要求の実行を制御する主制御部と、
サービス回線を終端するサービス回線終端部と、
信号の多重／分離を行なう多重／分離部
とを具備して構成されるＳＯＮＥＴ伝送装置の回線接続変更システム。
【請求項２】
前記ＨＭＩ制御部は、端末からのコマンドによる要求を解析し、要求を実行できる条件が全て満たされているか否かを判定し、実行可能ならば主制御部に対して実行要求を行ない、
実行要求を受けた主制御部は、回線接続情報管理部を検索し、現在サービス中の回線接続情報を獲得し、
現在サービス中の回線の入力先、出力先情報に対応させて回線接続指示に従い、回線接続区間の接続を行ない、
回線の接続処理が完了した後、処理実行前に接続されていた回線の接続を切断する
ことを特徴とする請求項１記載のＳＯＮＥＴ伝送装置の回線接続変更システム。
【請求項３】
前記サービス回線終端部と多重／分離部より構成されるスイッチ機能部と、
前記サービス回線終端部に属する複数の情報伝送速度を持つ物理媒体とが前記スイッチ機能部と冗長状態で接続される構成において、
前記主制御部は、片系の物理媒体より順に取り替えられるように、前記スイッチ機能部に指令を与えることを特徴とする請求項１記載のＳＯＮＥＴ伝送装置の回線接続変更システム。
【請求項４】
前記サービス回線終端部と多重／分離部より構成されるスイッチ機能部と、
前記サービス回線終端部に属する複数の情報伝送速度を持つ物理媒体とが前記スイッチ機能部と冗長状態で接続される構成において、
前記主制御部内に、回線接続情報を記憶するレジスタの内容を変更する機能を持つ変換部を設け、
前記主制御部は、該変換部に指令を与えることにより、スイッチ機能部を制御し、回線切断を行なうことなく回線の切り替えを行なうことを特徴とする請求項１記載のＳＯＮＥＴ伝送装置の回線接続変更システム。
【請求項５】
前記スイッチ機能部にデータを一時的に待避するためのバッファメモリを設け、
かつ前記物理媒体には、データ記憶部と該記憶しているデータのバージョンを記憶するバージョン記憶部を設け、
前記主制御部は、あるバージョンの物理媒体から新規バージョンの物理媒体に切り替えるに際し、元の物理媒体のデータを、前記バッファメモリに待避させた後、新規に接続された物理媒体のデータ部を生成する時に、前記バッファメモリに記憶されているデータのうち、双方で共通に用いることができるデータ部を新規物理媒体のデータとして設定すると共に、双方で用いることができないデータは新規バージョンの初期値データを設定することを特徴とする請求項３乃至４のいずれかに記載のＳＯＮＥＴ伝送装置の回線接続変更システム。
【請求項６】
前記サービス回線終端部が高次群信号終端部と低次群信号終端部よりなる回線接続部を具備しており、前記高次群信号終端部と低次群信号終端部の接続を切り替えるに際し、
前記多重／分離部に、高次群信号終端部と低次群信号終端部を仲介するタイムスロット部と、該タイムスロット部の接続を制御するレジスタを設け、
前記主制御部には該レジスタの内容の書き込み制御を行なう変換部を設け、
該変換部は、前記レジスタの情報を参照し、該レジスタの内容を接続切り替え要求に応じて書き替えることにより、高次群信号終端部と低次群信号終端部の接続を切り替えることを特徴とする請求項１記載のＳＯＮＥＴ伝送装置の回線接続変更システム。
【請求項７】
前記回線接続部は、その切り替えがレジスタによって行われる構成とし、
前記主制御部内に、回線接続／回線切断の可否情報が記憶される保護部を設け、
前記主制御部制御は該保護部に記憶されている情報により前記回線接続部のレジスタを更新するかどうかを決定することを特徴とする請求項６記載のＳＯＮＥＴ伝送装置の回線接続変更システム。
【請求項８】
前記主制御部内に、前記回線接続部のレジスタの情報を参照して接続の良否を判断する警報部を設けることを特徴とする請求項６記載のＳＯＮＥＴ伝送装置の回線接続変更システム。
【発明の詳細な説明】
【０００１】
【発明の属する技術分野】
本発明はＳＯＮＥＴ伝送装置の回線接続変更システムに関する。
近年の、高度情報化によって、通信回線の大容量化、高速化が要求されている。このため、システム保守者が必要に応じて構成を選択し、変更／設定することが可能である。しかしながら、構成変更の際にはサービス中の回線接続を切断する必要があるため、それによって生じるサービス回線断をできる限り短くする必要がある。また、誤って回線接続を変更したり、切断したりすることからもシステムを保護する必要がある。
【０００２】
【従来の技術】
ＳＯＮＥＴとは、ベルコアの標準で定義される同期網のことである。図１７は従来のこの種のシステムの構成例を示すブロック図である。図において、１００はＳＯＮＥＴ形式の情報に対して、ユーザの電話，ＦＡＸ等の情報を光伝送路等の高速回線で別の中継装置に伝送する端局装置（伝送装置）である。この端局装置１００は、随時機能アップ（バージョンアップ）するようになっている。最新の機能を盛り込むためである。１は端局装置１００に対して、回線接続変更／回線切断等の各種のコマンドを入力する端末で、該端末１にはコマンド入力用のキーボードと、モニタ用のディスプレイが設けられている。２は端末からのコマンド入力等を解析して、主制御装置に通知する端末１とのインタフェース機能を有するＨＭＩ制御ユニットである。端末１と該ＨＭＩ制御ユニット２とはＲＳ２３２Ｃの直列データ転送方式の通信線３で接続されている。
【０００３】
４は端局装置１００の全体の制御動作を行なう主制御ユニットで、ＣＰＵを含んで構成されている。前記ＨＭＩ制御ユニット２と該主制御ユニット４間は、ハイレベルデータリンク制御手順であるＨＤＬＣプロトコルの通信線５で接続されている。７は主制御ユニット４からのソフトウェア的に出力される各種指令をハードウェア構成要素に伝達するインタフェースとしての機能を有するインタフェースユニットである。該インタフェースユニット７と主制御ユニット４間はインタフェース用通信線６で接続されている。
【０００４】
８は例えば情報伝送速度が８５Ｍｂｐｓ等の高速データを伝送する高速伝送路、９は該高速伝送路８を終端する高速用サービス回線終端ユニットである。高速伝送路８が例えば光ファイバ等である場合には、高速用サービス回線終端ユニット９内には、光／電変換機能及び電／光変換機能が設けられている。端局装置１００内では、電気信号で処理するために、光情報を電気信号に変換する必要があるからである。１０は高速用サービス回線終端ユニット９と接続され、チャネルの組み替えを行なう切り替えユニットである。図では、高速用サービス回線終端ユニット９が＃１と＃２の２個設けられている例を示す。
【０００５】
前記主制御ユニット４は、これら高速用サービス回線終端ユニット９及び切り替えユニット１０にインタフェースユニット７を介して指示を与える。１１は低速用のサービス回線終端ユニットであり、該低速用サービス回線終端ユニット１１には加入者系の端末１２や、交換局１３が接続される。これら低速用のサービス回線終端ユニット１１と前記端末１２，交換局１３間を接続する低速伝送路１４は、メタリック線が用いられるのが通常であるが、場合によっては、光ファイバが用いられることもある。低速用サービス回線終端ユニット１１と加入者端末１２は、直接接続される場合もあり、また交換局１３を介して接続される場合もある。これら低速用サービス回線終端ユニット１１は、図では＃１〜＃３の３個設けた場合を示しているが、これに限るものではない。前記切り替えユニット１０は、高速用のサービス回線終端ユニット９及び低速用のサービス回線終端ユニット１１と接続され、チャネルの組み替えを行ない、それぞれの伝送路に情報を振り分ける。
【０００６】
このように構成されたシステムにおいて、例えば加入者端末１２から発呼したものとする。この発呼要求は、交換局１３又は直に低速用のサービス回線終端ユニット１１に入る。そして、切り替えユニット１０は入力されてきた発呼情報を高速用のサービス回線終端ユニット９に乗せ、該高速用サービス回線終端ユニット９で高速信号に変換して、かつ電気信号から光信号に変換し、高速伝送路８から別の中継局乃至は端局装置に送り出す。
【０００７】
一方、高速伝送路８から端局装置１００に入ってきた通話情報は、高速用サービス回線終端ユニット９に入り、該高速用サービス回線終端ユニット９で電気信号に変換された後、切り替えユニット１０に入り、該切り替えユニット１０でスロットの切り替えが行なわれ、所定の低速伝送路１４に乗せるべく、低速用サービス回線終端ユニット１１に入る。該低速用サービス回線終端ユニット１１は、目的の加入者端末１２に当該通話情報を送り出す。
【０００８】
図１８，図１９はＳＯＮＥＴ網のシステム構成例を示す図である。図１７と同一のものは、同一の符号を付して示す。図１８の（ａ）は、端局装置１００が高速伝送路８でポイント・ツ・ポイントで接続されている例を示す。高速伝送路８としては、ＳＯＮＥＴ準拠の１５０Ｍｂｐｓの光ファイバケーブル（ＯＣ３）が用いられている。ＨＧ１，ＨＧ２は高速用サービス回線終端ユニットであり、ＬＧ１〜ＬＧ３は低速用サービス回線終端ユニットである。高速伝送路８は、各局の高速用サービス回線終端ユニット間に接続される。低速用サービス回線終端ユニットは加入者系の交換局又は加入者端末と接続される。低速用サービス回線終端ユニットと加入者系とは、ＤＳ１（１．５Ｍｂｐｓの電気信号）、ＤＳ３（５０Ｍｂｐｓの電気信号）、ＯＣ３（１５０Ｍｂｐｓの光信号）、ＥＣ１（ＳＯＮＥＴ規格の５０Ｍｂｐｓの電気信号）、ＯＶＴＧ（２Ｍｂｐｓの光信号）で接続されている。
【０００９】
図１８の（ｂ）は、端局装置１００が高速伝送路８で直列に接続された例を示す。（ａ）と同一の符号は、（ａ）と同一のものである。これに対して、図１９に示すシステムは、端局装置１００が高速伝送路８でリング状に接続されたものである。この場合、高速伝送路には、前記ＯＣ３の他に、ＯＣ１２（ＳＯＮＥＴ準拠の６００Ｍｂｐｓの光信号）が用いられる。このように、ＳＯＮＥＴ網の接続形態には種々の構成が考えられる。
【００１０】
【発明が解決しようとする課題】
前述したような、従来のＳＯＮＥＴシステムでは、構成変更を行なう場合には、現在サービス中の回線接続状態を全て切断して行なうことが通常であった。そして、構成変更の後、再び回線の接続操作を行なっていたため、構成変更に数秒から数分かかり、その間サービス回線断が生じていた。ここで、回線とは、図１７で説明した通話路系の情報伝送用の通信線又は伝送路をいうものとする。
【００１１】
また、回線の保護機能がないため、誤って回線を切断しても、保護することができなかった。
本発明はこのような課題に鑑みてなされたものであって、構成変更を行なう際のサービス回線断を極力小さくし、かつ回線接続を保護することができるＳＯＮＥＴ伝送装置の回線接続変更システムを提供することを目的としている。
【００１２】
【課題を解決するための手段】
図１は本発明の原理ブロック図である。図１７と同一のものは、同一の符号を付して示す。図において、２は端末１からの要求コマンドを解析し、主制御部に対して実行要求を行なうＨＭＩ制御部、４は該ＨＭＩ制御部２からの要求の実行を制御する主制御部である。主制御部４には、複数の回線接続指示機能を含む回線種別指示テーブル３０と、現在サービス中の回線接続情報を記憶する回線接続情報管理部３１が内蔵されている。
【００１３】
回線種別指示テーブル３０には、図に示すように、例えばＡｂｐｓの多重／分離を行なう回線接続指示や、Ｂｂｐｓの多重／分離を行なう回線接続指示等の機能が記憶されている。２０はその一方がサービス回線１５と接続され、サービス回線１５を終端するサービス回線終端部、２１は該サービス回線終端部２０と接続され、信号の多重／分離を行なう多重／分離部である。
【００１４】
ここで、図１と図１７との対応関係について説明する。図１のサービス回線終端部２０は、図１７の高速用サービス回線終端ユニット９又は低速用サービス回線終端ユニット１１のいずれかに相当する。図１の多重／分離部２１は、図１７の切り替えユニット１０の機能の一部を示している。図１の主制御部４は、図１７の主制御ユニット４に相当する。そして、図１のサービス回線終端部２０と多重／分離部２１間が回線接続区間となる。主制御部４は、回線接続区間に対して、回線変更／切断指示を与えることになる。
【００１５】
このような構成をとることにより、主制御部４は端末１からの指示により、回線接続区間の回線の接続に対して、最適な指示を出すことができ、構成変更を行なう際のサービス回線断を極力小さくし、かつ回線接続を保護することができる。
【００１６】
この場合において、前記ＨＭＩ制御部２は、端末１からのコマンドによる要求を解析し、要求を実行できる条件が全て満たされているか否かを判定し、実行可能ならば主制御部４に対して実行要求を行ない、実行要求を受けた主制御部４は、回線接続情報管理部３１を検索し、現在サービス中の回線接続情報を獲得し、現在サービス中の回線の入力先、出力先情報に対応させて回線接続指示に従い、回線接続区間の接続を行ない、回線の接続処理が完了した後、処理実行前に接続されていた回線の接続を切断するようにした。
【００１７】
これにより、物理媒体の変更無しで、回線接続の速度単位を例えばサービス回線Ａ／回線速度Ｎｂｐｓからサービス回線Ｂ／回線速度Ｍｂｐｓにインサービス状態（サービスを継続したまま）で回線接続を変更することができる。
【００１８】
また、前記サービス回線終端部２０と多重／分離部２１より構成されるスイッチ機能部と、前記サービス回線終端部２０に属する複数の情報伝送速度を持つ物理媒体とが前記スイッチ機能部と冗長状態で接続される構成において、前記主制御部４は、片系の物理媒体より順に取り替えられるように、前記スイッチ機能部に指令を与えるようにした。
【００１９】
これにより、インサービス状態で回線接続を変更することができる。
また、前記サービス回線終端部２０と多重／分離部２１より構成されるスイッチ機能部と、前記サービス回線終端部２０に属する複数の情報伝送速度を持つ物理媒体とが前記スイッチ機能部と冗長状態で接続される構成において、前記主制御部４内に、回線接続情報を記憶するレジスタの内容を変更する機能を持つ変換部を設け、前記主制御部４は、該変換部に指令を与えることにより、スイッチ機能部を制御し、回線の切り替えを行なうようにした。
【００２０】
これにより、回線切断を行なうことなく、かつインサービス状態で回線接続を変更することができる。
また、前記スイッチ機能部にデータを一時的に待避するためのバッファメモリを設け、かつ前記物理媒体には、データ記憶部と該記憶しているデータのバージョンを記憶するバージョン記憶部を設け、前記主制御部４は、あるバージョンの物理媒体から新規バージョンの物理媒体に切り替えるに際し、元の物理媒体のデータを、前記バッファメモリに待避させた後、新規に接続された物理媒体のデータ部を生成する時に、前記バッファメモリに記憶されているデータのうち、双方で共通に用いることができるデータ部を新規物理媒体のデータとして設定すると共に、双方で用いることができないデータは新規バージョンの初期値データを設定するようにした。
【００２１】
これにより、物理媒体取り替え時において、より現在サービス運用中に近い形態でデータを引き継ぐことができる。
また、前記サービス回線終端部２０が高次群信号終端部と低次群信号終端部よりなる回線接続部を具備しており、前記高次群信号終端部と低次群信号終端部の接続を切り替えるに際し、前記多重／分離部２１に、高次群信号終端部と低次群信号終端部を仲介するタイムスロット部と、該タイムスロット部の接続を制御するレジスタを設け、前記主制御部４には該レジスタの内容の書き込み制御を行なう変換部を設け、該変換部は、前記レジスタの情報を参照し、該レジスタの内容を接続切り替え要求に応じて書き替えることにより、高次群信号終端部と低次群信号終端部の接続を切り替えるようにした。
【００２２】
これにより、物理媒体の変更無しで、回線接続元／先を変更する時に、回線接続の切断／再設定の手順が不要となる。
また、前記回線接続部は、その切り替えがレジスタによって行われる構成とし、前記主制御部４内に、回線接続／回線切断の可否情報が記憶される保護部を設け、前記主制御部４は該保護部に記憶されている情報により前記回線接続部のレジスタが更新するかどうかを決定するようにした。
【００２３】
これにより、回線接続された状態でサービスを提供している時、誤って回線接続を変更／切断することから保護することができる。
更に、前記主制御部４内に、前記回線接続部のレジスタの情報を参照して接続の良否を判断する警報部を設けた。
【００２４】
これにより、回線接続されてサービスを提供している時、誤って回線接続を切断した場合のような異常が発生した時に、障害情報を通知することができる。
【００２５】
【発明の実施の形態】
以下、図面を参照して本発明の実施の形態例を詳細に説明する。
図２は本発明の第１の実施の形態例の動作説明図である。図１と同一のものは、同一の符号を付して示す。サービス回線１５としては、例えばＳＯＮＥＴ規格準拠のＳＴＳＩ回線（５０Ｍｂｐｓの電気信号回線）が用いられ、多重／分離部２１で分離された回線１６としては、例えばＳＯＮＥＴ規格準拠のＶＴＩ回線（１．５４４Ｍｂｐｓの電気信号回線）が用いられる。図の○は現在サービス中のＳＴＳＩ回線の接続点（現在サービス中の回線の接続点）、●はＶＴＩ回線の接続点（構成変更によって増加した接続点）である。このように構成されたシステムの動作を説明すれば、以下のとおりである。
【００２６】
端末１から接続変更要求を出すと、この要求はＨＭＩ制御部２に入る。該ＨＭＩ制御部２は、端末１からの要求コマンドを解析し、実行可能な条件が全て満たされているかどうかチェックする。全て満たされていた時には、主制御部４に対して実行要求を行なう（▲１▼）。主制御部４は、ＨＭＩ制御部２からの実行要求を受信すると、回線接続情報管理部３１を検索し、現在サービス中の回線種別、入力先、出力先情報を獲得する（▲２▼）。次に、主制御部４は、獲得した入力先、出力先情報を基に、回線の接続可能な範囲を定義する。
【００２７】
次に、ＨＭＩ制御部２からの要求に対応した回線接続指示を回線種別指示テーブル３０より選び出し（▲３▼）、回線接続区間を制御する。そして、回線接続指示及び定義された回線接続範囲に従って、回線接続区間の接続を行なう（▲４▼）。接続処理完了後、現在サービス中であった回線の接続を切断する（▲５▼）。図において、○は現在サービス中の回線の接続点、●は構成変更によって増加した回線の接続点である。
【００２８】
図３は本発明の第１の実施の形態例の動作を示すフローチャートである。端末１から接続変更要求を出すと、この要求はＨＭＩ制御部２に入る。該ＨＭＩ制御部２は、端末１からの要求コマンドを解析し、実行可能な条件が全て満たされているかどうかチェックする（Ｓ１）。全て満たされていない場合には、ＨＭＩ制御部２は端末１に対して実行不可能メッセージを送出し、ディスプレイにその旨を表示させる（Ｓ２）。実行可能な条件が全て満たされている時には、主制御部４に対して実行要求を行なう（Ｓ３）。主制御部４は、実行要求を受けると、回線接続情報管理部３１を検索し、現在サービス中の回線種別、入力先、出力先情報を獲得する（Ｓ４）。そして、回線接続可能範囲を定義する（Ｓ５）。
【００２９】
次に、回線種別指示テーブル３０を参照して目的の回線接続指示を選出する（Ｓ６）。サービス回線終端部２０及び多重／分離部２１では、主制御部４からの接続指示に従い、回線接続区間の接続を実行する（Ｓ７）。そして、現在サービス中だった回線の回線接続区間の接続を切断する（Ｓ８）。
【００３０】
図４は第１の実施の形態例の動作説明図である。（状態１）は、回線Ａが接続され、回線Ｂが未接続の状態である。ここで、端末１から回線接続変更要求が来ると、主制御部４は（状態２）に示すように、未接続の回線Ｂの接続にかかる。そして、回線Ｂが接続されると、（状態３）に示すように、回線Ａの切断にかかる。そして、最終的には、（状態４）に示すように、回線Ａが未接続、回線Ｂが接続状態となる。このようにして、インサービス状態で回線の切り替えが行なえる。
【００３１】
第１の実施例によれば、主制御４は端末１からの指示により、回線接続区間の回線の接続に対して、最適な指示を出すことができ、構成変更を行なう際のサービス回線断を極力小さくし、かつ回線接続を保護することができる。
【００３２】
また、物理媒体の変更無しで、回線接続の速度単位をサービス回線Ａ／回線速度Ｎｂｐｓからサービス回線Ｂ／回線速度Ｍｂｐｓにインサービス状態（サービスを継続したまま）で回線接続を変更することができる。
【００３３】
図５は本発明の第２の実施の形態例の動作説明図である。図１と同一のものは、同一の符号を付して示す。図において、４０は前記サービス回線終端部２０と多重／分離部２１より構成されるスイッチ機能部、４１は前記サービス回線終端部２０に属する、サービス回線を終端する物理媒体である。ここでは、物理媒体４１としてＡ，Ｂ，Ｂ’の３個を示す。１５は物理媒体４１と接続されるサービス回線である。このように、スイッチ機能部４０に接続される物理媒体４１を２個設けることにより、冗長構成とすることができる。
【００３４】
４２は、回線の接続情報を記憶するレジスタで、主制御部４内に設けられている。回線接続を変更する際には、該レジスタ４２の内容を更新する必要があるが、レジスタ４２は以前の情報を全て初期化する必要があるので、回線の切断処理を行なう。なお、図中において、物理媒体４１とスイッチ機能部４０間が回線接続区間となる。そして、このレジスタ４２の内容を書き替えることにより、回線接続区間の回線接続を替えることができる。このように構成された実施の形態例の動作を説明すると、以下のとおりである。
【００３５】
前述の物理媒体Ａ，Ｂのうち、Ａが現用系、Ｂが予備系とする。スイッチ機能部４０は、現用系、予備系を切り替える機能を持っており、通常は自動状態である。先ず、図に示す状態で、主制御部４はレジスタ４２に接続情報を設定し、スイッチ機能部４０を、物理媒体Ａ側の回線に接続し、固定する（▲１▼）。その後、主制御部４はレジスタ４２の内容を書き替え、予備側のサービス回線の接続を切断する（▲２▼）。この間に操作者は物理媒体Ｂを取り外し、物理媒体Ｂ’と交換する（▲３▼）。再び、主制御部４はレジスタ４２の内容を書き替え、予備側の回線接続区間のサービス回線を接続する。同様に、スイッチ機能部４０を予備側に切り替え、固定する。その後、主制御部４はレジスタ４２の内容を書き替え、現用側の回線接続区間のサービス回線を切断する。この間に、操作者は物理媒体Ａを他の物理媒体と取り替える。再び、主制御部４はレジスタ４２の内容を書き替え、現用側の回線接続区間のサービス回線を接続する。主制御部４は、処理が完了した後、スイッチの切り替えを解除し、自動状態にする。
【００３６】
図６は本発明の第２の実施の形態例の動作を示すフローチャートである。図７は図６で用いるサブフローチャートＡとＢを示す図である。サブフローチャートＡのシーケンスは、予備側の物理媒体取り替えのシーケンスである。先ず、スイッチを現用側に切り替え固定し（Ｓ１０）、予備側のサービス中の回線接続を切断し（Ｓ１１）、予備側の物理媒体を他の物理媒体に変更し（Ｓ１２）、予備側のサービス回線を接続する（Ｓ１３）。サブフローチャートＢのシーケンスは、現用側の物理媒体取り替えのシーケンスである。先ず、スイッチを予備側に切り替え固定し（Ｓ２１）、現用側のサービス中の回線接続を切断し（Ｓ２２）、現用側の物理媒体を他の物理媒体に変更し（Ｓ２３）、現用側のサービス回線を接続する（Ｓ２４）。
【００３７】
次に、図６の全体の動作を説明する。主制御部４は、スイッチの切り替え先が現用側であるかチェックする（Ｓ１）。現用側である場合には、スイッチを現用側に固定しておいて、予備側の物理媒体の取り替え処理を行なう（Ｓ２）。その後、スイッチを予備側に固定して、現用側の物理媒体の取り替え処理を行なう（Ｓ３）。その後、主制御部４は切り替えを解除する（Ｓ７）。ステップＳ１において、スイッチの切り替え先が現用側でなかった場合、主制御部４はスイッチの切り替え先が予備側であるかどうかチェックする（Ｓ４）。予備側でなかった場合には、現用側でも予備側でもないことになるので、処理を終了する。
【００３８】
予備側であった場合には、主制御部４はスイッチを予備側に固定しておいて、現用側の物理媒体の取り替え処理を行なう（Ｓ５）。その後、スイッチを現用側に固定して、予備側の物理媒体の取り替え処理を行なう（Ｓ６）。その後、主制御部４は切り替えを解除する（Ｓ７）。
【００３９】
この実施例によれば、主制御部４が、片系の物理媒体より順に取り替えられるように、レジスタ４２の内容を書き替えて、スイッチ機能部４０に指令を与えることにより、インサービス状態で回線接続を変更することができる。
【００４０】
図８は本発明の第３の実施の形態例の動作説明図である。図５と同一のものは、同一の符号を付して示す。この実施例でも、スイッチ機能部４０に接続される物理媒体４１を複数設けることにより、システムに冗長性を持たせている。物理媒体Ａを現用側、物理媒体Ｂを予備側とする。この実施例では、レジスタ４２に加えて、該レジスタ４２の内容を変更する機能を持つ変換部４３を設けている（レジスタ４２及び変換部４３は、主制御部４内に設けられる）。従って、図５に示した実施例とは異なり、レジスタの初期化を必要とせず、回線の切断処理を行なう手間が省ける。このように構成された実施の形態例の動作を説明すると、以下のとおりである。
【００４１】
先ず、主制御部４は変換部４３に指令を送り、レジスタ４２の内容を設定し、スイッチ機能部４０を現用側の回線接続に切り替え、固定する（▲１▼）。この状態で予備側の物理媒体Ｂを取り外し、操作者は代わりの新たなバージョンの物理媒体Ｂ’と入れ替える（▲２▼）。次に、主制御部４は変換部４３に指令を送り、レジスタの内容を変更し、スイッチ機能部４０を予備側の回線接続に切替える。そして、操作者は現用側の物理媒体Ａを他の物理媒体と取り換える。その後、主制御部４は変換部４３に指令を送り、レジスタ４２の内容を設定し、スイッチ機能部４０を通常状態にする。
【００４２】
図９は本発明の第３の実施の形態例の動作を示すフローチャートである。先ず、主制御部４はレジスタ４２の内容を参照し、スイッチの切り替え先が現用側であるかチェックする（Ｓ１）。現用側である場合には、主制御部４はスイッチ機能部４０を現用側に切り替え固定する（Ｓ２）。その後、予備側の物理媒体４１を新規バージョンの物理媒体４１に変更する（Ｓ３）。次に、主制御部４は、スイッチ機能部４０を予備側に切り替え固定し（Ｓ４）、現用側の物理媒体４１を新規バージョンの物理媒体４１と変更する（Ｓ５）。以上の処理が終了すると、主制御部４は切り替えを解除する（Ｓ６）。
【００４３】
ステップＳ１において、スイッチの切り替え先が現用側でなかった場合、主制御部４はスイッチの切り替え先が予備側であるかチェックする（Ｓ７）。予備側でなかった場合には、現用側でも予備側でもないことになるので、処理を終了する。スイッチの切り替え先が予備側の場合、主制御部４はスイッチ機能部４０を予備側に切り替え固定する（Ｓ８）。その後、現用側の物理媒体４１を新規バージョンの物理媒体４１に変更する（Ｓ９）。
【００４４】
次に、主制御部４はスイッチ機能部４０を現用側に切り替え固定し（Ｓ１０）、この状態で操作者が予備側の物理媒体４１を新規バージョンの物理媒体４１に変更する（Ｓ１１）。以上の処理が終了すると、主制御部４は切り替えを解除する（Ｓ６）。
【００４５】
この実施例によれば、レジスタ４２の内容を変更する変換部４３を設けて、レジスタ４２の内容により、スイッチ機能部４０の切り替え制御を行なうようにすることにより、回線の切断処理を行なうことなく、かつインサービス状態で回線接続を変更することができる。
【００４６】
図１０は本発明の第４の実施の形態例の動作説明図である。図５と同一のものは、同一の符号を付して示す。図において、４５はデータを一時的に待避するためのバッファメモリで、スイッチ機能部４０に設けられている。その他の構成は、図５と同じである。この実施例は、回線を一時切断して物理媒体を取り替える例を示す。各物理媒体４１は、図１１に示すように、データベース部４１ａとバージョンデータ部４１ｂより構成されている。このように構成された実施の形態例の動作を説明すれば、以下のとおりである。
【００４７】
先ず、主制御部４がスイッチ機能部４０のスイッチを現用側Ａに固定しておき、予備側Ｂを新規バージョンの物理媒体Ｂ’と取り替えるものとする。主制御部４は、物理媒体Ｂのデータの内容をバッファメモリ４５に待避する。その後、操作者は物理媒体Ｂを新規バージョンの物理媒体Ｂ’と取り替える。この時、新規バージョンの物理媒体Ｂ’のデータベース部４１ａのデータの生成は、以下のようにして行なう。
【００４８】
新規物理媒体Ｂ’を装着した時、主制御部４はバージョンデータ部４１ｂを参照して、新規バージョンであることを認識する（▲１▼）。次に、新規物理媒体Ｂ’のデータベース部４１ａのデータと、バッファメモリ４５に待避されている旧物理媒体Ｂのデータベース部４１ａのデータと比較し共通データ部分があるかどうチェックする。そして、双方に共通のデータ領域（図１１に斜線で示す領域）があれば、その部分はそのまま引き継ぐことにし（▲２▼）、それ以外の共通でない部分は、新規物理媒体Ｂ’のデータベース部４１ａのデータ部を初期値としてそのまま用いるようにする（▲３▼）。つまり、図１１のバージョン１からバージョン２に物理媒体を変更する時に、共通部分はそのまま引き継ぎ、その他の部分は、新規バージョンのデータを初期値として設定する。この結果、新規物理媒体Ｂ’のデータベース部４１ａの構成は、図１１に示すように、共通に用いる部分４１Ａと、初期値設定部４１Ｂと、余白部４１Ｃより構成されることになる。
【００４９】
図１２は本発明の第４の実施の形態例の動作を示すフローチャートである。主制御部４は、物理媒体４１が変更になったことを抽出すると（Ｓ１）、物理媒体４１のバージョンデータ部４１ｂを検索して新規変更されたことを認識する（Ｓ２）。次に、主制御部４は、バージョン１とバージョン２の共通データがあるどうかチェックする（Ｓ３）。ある場合には、その部分は新規バージョンに引き継ぎ（Ｓ４）、ない場合にはデータを初期値で展開する（Ｓ５）。
【００５０】
この実施例によれば、物理媒体４１を新規バージョンに変更するに際し、共通データ部はそのまま引き継ぎ、それ以外のデータ部は新規バージョンの初期値をそのまま用いるようにしてデータベース部４１ａを生成することにより、物理媒体取り替え時において、より現在サービス運用中に近い形態でデータを引き継ぐことができる。
【００５１】
図１３は本発明の第５の実施の形態例の動作説明図である。図において、５０は高速データの終端部である高次群信号終端部、５１は低速データの終端部である低次群信号終端部である。これら高次群信号終端部５０及び低次群信号終端部５１は、サービス回線終端部２０内（図１参照）に設けられている。５２はこれら高次群信号終端部５０と低次群信号終端部５１の信号が接続されるタイムスロット部である。該タイムスロット部５２は多重／分離部２１（図１参照）内に設けられている。
【００５２】
５３は高次群信号終端部５０とタイムスロット部５２とで構成されるタイムスロット選択部間の信号接続情報を記憶するレジスタ、５４は高次群信号終端部５０と低次群信号終端部５１間の信号接続情報を記憶するレジスタ、５５はこれらレジスタ５３，５４を参照すると共に、これらレジスタの内容を更新する変換部である。これらレジスタ５３，５４及び変換部５５は主制御部４内に設けられる。このように構成された実施の形態例の動作を説明すれば、以下のとおりである。
【００５３】
例えば、図の実線で示すように高次群信号終端部の＃１から低次群信号終端部の＃１に接続されている信号線を、図の破線で示すように、低次群信号終端部５１の＃２に変更する場合を考える。この時、変換部５５はタイムスロット部のレジスタ５３の内容を破線で示す接続が行われるように変更する。タイムスロット部５２は、レジスタ５３の内容に応じて高次群信号終端部５０と低次群信号終端部５１間を図の破線で示すように切り替える。上述の説明では、高次群の＃１から低次群の＃２へ接続変更する場合を示したが、逆に低次群の＃１から高次群の＃４へ接続変更することもできる。
【００５４】
このように、この実施例によれば、レジスタ５３の内容を変更する変換部５５を設けることにより、物理媒体の変更無しで、回線接続元／先を変更する時に、回線接続の切断／再設定の手順を行なう必要がなくなる。
【００５５】
図１４は本発明の第６の実施の形態例の動作説明図である。図１３と同一のものは、同一の符号を付して示す。図において、５６は回線接続／回線切断の可否情報が記憶されている保護部である。該保護部５６は主制御部４内に設けられる。このように構成された実施の形態例の動作を説明すれば、以下のとおりである。
【００５６】
端末１から回線の接続変更指令を受けた主制御部４は、保護部５６を参照し、該当する回線接続の変更が禁止されていなかチェックする。若し、保護部５６に当該回線の接続変更や、回線切断等が禁止されていた場合には、主制御部４はその接続変更を行なわない。保護部５６に記憶されている内容が、その接続変更を許すものであれば、主制御部４はレジスタ５４の内容を変更し、高次群信号終端部５０と低次群信号終端部５１間の接続変更を行なう。
【００５７】
この実施例によれば、主制御部４が保護部５６に記憶されている回線接続／回線切断の可否情報により高次群信号終端部５０と低次群信号終端部５１間の信号の接続や、回線断を行なうようにすることにより、回線接続された状態でサービスを提供している時、誤って回線接続を変更／切断することから保護することができる。
【００５８】
図１５は本発明の第７の実施の形態例の動作説明図である。図１３と同一のものは、同一の符号を付して示す。図において、５７はレジスタ５３，５４の内容を参照して接続の良否を判断する警報部である。該警報部５７は主制御部４内に設けられる。その他の構成は、図１３と同じである。このように構成された実施の形態例の動作を説明すれば、以下のとおりである。
【００５９】
サービス実行中において、警報部５７はレジスタ５３及び５４の内容を常時参照し、システムとしての接続状態の良否を判断している。異常がない場合には、該警報部５７は何の動作も行わない。ここで、レジスタ５３及び／又はレジスタ５４に記憶されている接続状態に異常が発生した場合、警報部５７はこの異常を検出する。そして、ＨＭＩ制御部２（図１参照）に対して警報を出力する。ＨＭＩ制御部２は、警報情報を端末１のディスプレイに表示させる。これにより、操作者は接続に異常が発生したことを知ることができ、接続異常に対する対策をとることができる。
【００６０】
この実施例によれば、回線接続されてサービスを提供している時、誤って回線接続を切断のような異常が発生した場合に、この障害情報を通知することができる。
【００６１】
図１６は本発明の伝送装置のシェルフへの搭載例を示す図である。この搭載例は、最高伝送速度が１５０Ｍｂｐｓのものである。図において、２００はシェルフである。ＰＷ１Ａはシェルフ内の給電を行なう給電部で、２個設けられている。ＴＣＡはシェルフ内にクロックを供給するクロック供給ユニットで、２個設けられている。ＡＷ１Ａはシェルフ内のアラームを、オフィス、架上ランプ、表面板上のランプ等に表示させる警報ユニットである。ＳＶ１Ａはシェルフ外の監視装置と伝送装置の通信を行なうためのインタフェースユニットで、図１のＨＭＩ制御２に相当する。
【００６２】
ＭＰＩＡはシェルフ内の情報を収集し、またシェルフ内のコントロールを行なう情報収集ユニットである。ＨＳＩＡはＳＯＮＥＴのオーバヘッドの送受と、高次群の切り替え制御を行なうユニットである。ＭＣ１Ａ、ＬＣ１Ａは低次群信号のインタフェースと多重／分離、光／電，電／光変換を行なうユニットで、図１のサービス回線終端部２０と多重／分離部２１に相当する。
【００６３】
ＬＳ１Ａは低次群の切り替え制御を行なうユニットである。ＥＣ１Ａは低次群用オーバヘッドバイトの送受を行なうユニットである。ＴＳ１ＡはＳＯＮＥＴ信号を対応する各方向に送信する送信ユニットである。ＨＣ１Ａは高次群のインタフェースと多重／分離、光／電，電／光変換を行なうユニットで、図１のサービス回線終端部２０と多重／分離部２１に相当する。ＬＣ１Ａ，ＨＣ１Ａで分離されたＳＯＮＥＴ信号は、送信ユニットＴＳ１Ａから各方向に送信される。
【００６４】
【発明の効果】
以上、詳細に説明したように、本発明によれば、
主制御は端末からの指示により、回線接続区間の回線の接続に対して、最適な指示を出すことができ、構成変更を行なう際のサービス回線断を極力小さくし、かつ回線接続を保護することができる。
【００６５】
この場合において、前記ＨＭＩ制御部は、端末からのコマンドによる要求を解析し、要求を実行できる条件が全て満たされているか否かを判定し、実行可能ならば主制御部に対して実行要求を行ない、実行要求を受けた主制御部は、回線接続情報管理部を検索し、現在サービス中の回線接続情報を獲得し、現在サービス中の回線の入力先、出力先情報に対応させて回線接続指示に従い、回線接続区間の接続を行ない、回線の接続処理が完了した後、処理実行前に接続されていた回線の接続を切断することにより、物理媒体の変更無しで、回線接続の速度単位を例えばサービス回線Ａ／回線速度Ｎｂｐｓからサービス回線Ｂ／回線速度Ｍｂｐｓにインサービス状態（サービスを継続したまま）で回線接続を変更することができる。
【００６６】
また、前記サービス回線終端部と多重／分離部より構成されるスイッチ機能部と、前記サービス回線終端部に属する複数の情報伝送速度を持つ物理媒体とが前記スイッチ機能部と冗長状態で接続される構成において、前記主制御部は、片系の物理媒体より順に取り替えられるように、前記スイッチ機能部に指令を与えるようにするインサービス状態で回線接続を変更することができる。
また、前記サービス回線終端部と多重／分離部より構成されるスイッチ機能部と、前記サービス回線終端部に属する複数の情報伝送速度を持つ物理媒体とが前記スイッチ機能部と冗長状態で接続される構成において、前記主制御部内に、回線接続情報を記憶するレジスタの内容を変更する機能を持つ変換部を設け、前記主制御部は、該変換部に指令を与えることにより、スイッチ機能部を制御し、回線の切り替えを行なうことにより、回線切断を行なうことなく、かつインサービス状態で回線接続を変更することができる。
【００６７】
また、前記スイッチ機能部にデータを一時的に待避するためのバッファメモリを設け、かつ前記物理媒体には、データ記憶部と該記憶しているデータのバージョンを記憶するバージョン記憶部を設け、前記主制御部は、あるバージョンの物理媒体から新規バージョンの物理媒体に切り替えるに際し、元の物理媒体のデータを、前記バッファメモリに待避させた後、新規に接続された物理媒体のデータ部を生成する時に、前記バッファメモリに記憶されているデータのうち、双方で共通に用いることができるデータ部を新規物理媒体のデータとして設定すると共に、双方で用いることができないデータは新規バージョンの初期値データを設定することにより、物理媒体取り替え時において、より現在サービス運用中に近い形態でデータを引き継ぐことができる。
【００６８】
また、前記サービス回線終端部が高次群信号終端部と低次群信号終端部よりなる回線接続部を具備しており、前記高次群信号終端部と低次群信号終端部の接続を切り替えるに際し、前記多重／分離部に、高次群信号終端部と低次群信号終端部を仲介するタイムスロット部と、該タイムスロット部の接続を制御するレジスタを設け、前記主制御部には該レジスタの内容の書き込み制御を行なう変換部を設け、該変換部は、前記レジスタの情報を参照し、該レジスタの内容を接続切り替え要求に応じて書き替えることにより、高次群信号終端部と低次群信号終端部の接続を切り替えるようにした。
【００６９】
これにより、物理媒体の変更無しで、回線接続元／先を変更する時に、回線接続の切断／再設定の手順が不要となる。
また、前記回線接続部は、その切り替えがレジスタによって行われる構成とし、前記主制御部内に、回線接続／回線切断の可否情報を記憶する保護部を設け、前記主制御部は該保護部に記憶されている情報により前記回線接続部のレジスタを更新することにより、回線接続された状態でサービスを提供している時、誤って回線接続を変更／切断することから保護することができる。
【００７０】
更に、前記主制御部内に、前記回線接続部のレジスタの情報を参照して接続の良否を判断する警報部を設けることにより、回線接続されてサービスを提供している時、誤って回線接続を切断した場合のような異常が発生した時に、障害情報を通知することができる。
【図面の簡単な説明】
【図１】本発明の原理ブロック図である。
【図２】本発明の第１の実施の形態例の動作説明図である。
【図３】本発明の第１の実施の形態例の動作を示すフローチャートである。
【図４】本発明の第１の実施の形態例の他の動作説明図である。
【図５】本発明の第２の実施の形態例の動作説明図である。
【図６】本発明の第２の実施の形態例の動作を示すフローチャートである。
【図７】サブフローチャートＡとＢを示す図である。
【図８】本発明の第３の実施の形態例の動作説明図である。
【図９】本発明の第３の実施の形態例の動作を示すフローチャートである。
【図１０】本発明の第４の実施の形態例の動作説明図である。
【図１１】本発明の第４の実施の形態例の動作説明図である。
【図１２】本発明の第４の実施の形態例の動作を示すフローチャートである。
【図１３】本発明の第５の実施の形態例の動作説明図である。
【図１４】本発明の第６の実施の形態例の動作説明図である。
【図１５】本発明の第７の実施の形態例の動作説明図である。
【図１６】本発明の伝送装置のシェルフへの搭載例を示す図である。
【図１７】従来システムの構成例を示すブロック図である。
【図１８】ＳＯＮＥＴ網のシステム構成例を示す図である。
【図１９】ＳＯＮＥＴ網の他のシステム構成例を示す図である。
【符号の説明】
１  端末
２  ＨＭＩ制御部
４  主制御部
１５  サービス回線
２０  サービス回線終端部
２１  多重／分離部
３０  回線種別指示テーブル
３１  回線接続情報管理部
１００  端局装置
【図１】
0003608850.tif 000002
【図２】
0003608850.tif 000003
【図３】
0003608850.tif 000004
【図４】
0003608850.tif 000005
【図５】
0003608850.tif 000006
【図６】
0003608850.tif 000007
【図７】
0003608850.tif 000008
【図８】
0003608850.tif 000009
【図９】
0003608850.tif 000010
【図１０】
0003608850.tif 000011
【図１１】
0003608850.tif 000012
【図１２】
0003608850.tif 000013
【図１３】
0003608850.tif 000014
【図１４】
0003608850.tif 000015
【図１５】
0003608850.tif 000016
【図１６】
0003608850.tif 000017
【図１７】
0003608850.tif 000018
【図１８】
0003608850.tif 000019
【図１９】
0003608850.tif 000020